(57)【要約】【課題】鉄筋にコンクリート型枠を支持させるためのセパレーターを取り付ける鉄筋へのセパレーター取付け金具を活用し易いようにする。【解決手段】門形本体１は、断面溝形の一対のアーム部４ａ，４ｂと、両アーム部の外側板部６どうしを連結一体化するヒンジ部５とから成り、両アーム部は、その両側板部７に鉄筋が嵌合する凹部１１が形成された鉄筋挟持部９と、この鉄筋挟持部９よりヒンジ部５側に設けられて外側板部６にボルト挿通孔１３が設けられた締結部１０を備え、この両アーム部の締結部１０を締結用ボルトナット２で締め付けることにより、両アーム部の鉄筋挟持部９間で鉄筋Ｂを挟持できるように構成された金具であって、両アーム部の鉄筋挟持部９を構成する前記凹部１１は、両側板部７の先端辺に隣接する円弧形に形成され、両アーム部の鉄筋挟持部９の外側板部６の外側面は、セパレーター溶接用偏平面６ａに構成する。【選択図】図１
2010013883.tif 000002
【特許請求の範囲】
【請求項１】
門形本体と締結用ボルトナットを備え、門形本体は、外側板部の両側辺から内側に両側板部が折曲連設された断面溝形の一対のアーム部と、両アーム部の外側板部どうしを連結一体化する偏平板状のヒンジ部とから成り、両アーム部は、その両側板部に鉄筋が嵌合する凹部が形成された鉄筋挟持部と、この鉄筋挟持部よりヒンジ部側に設けられて外側板部にボルト挿通孔が設けられた締結部を備え、この両アーム部の締結部を前記締結用ボルトナットで締め付けることにより、両アーム部の鉄筋挟持部間で鉄筋を挟持できるように構成された金具であって、両アーム部の鉄筋挟持部を構成する前記凹部は、両側板部の先端辺に隣接して形成された円弧形の凹部であり、両アーム部の鉄筋挟持部の外側板部外側面は、セパレーター溶接用偏平面に構成されている、鉄筋へのセパレーター取付け金具。
【請求項２】
両アーム部の内、少なくとも一方のアーム部の鉄筋挟持部の外側板部には貫通丸孔が設けられ、この貫通丸孔に組み付けられるセパレーター取付け用ナットが設けられ、このセパレーター取付け用ナットは、前記鉄筋挟持部における両側板部間に遊嵌する頭部と、前記貫通丸孔を外向きに抜き差し自在に貫通する軸部と、この軸部に直径方向に設けられたセパレーター連結用ネジ孔とから成る、鉄筋へのセパレーター取付け金具。
【請求項３】
前記セパレーター取付け用ナットのセパレーター連結用ネジ孔に螺合連結したセパレーターを前記軸部と共に当該軸部を中心に回転させたとき、前記締結用ボルトナットのボルト頭部と前記セパレーターとが干渉しないように、少なくとも前記貫通丸孔を有する側のアーム部における前記締結部の外側面を、当該アーム部の鉄筋挟持部の外側面より低くなるように構成してある、請求項２に記載の鉄筋へのセパレーター取付け金具。
【請求項４】
前記締結用ボルトナットは、球面形頭部とこの頭部に隣接して角軸部を備え、両アーム部の締結部の内、少なくとも前記貫通丸孔が設けられている側のアーム部の締結部のボルト挿通孔は、前記角軸部が嵌合する回り止め用角孔としてある、請求項３に記載の鉄筋へのセパレーター取付け金具。
【請求項５】
前記門形本体は、前記貫通丸孔を除いて対称形に構成され、一方のアーム部の鉄筋挟持部にのみ前記貫通丸孔が設けられている、請求項２〜４の何れか１項に記載の鉄筋へのセパレーター取付け金具。
【発明の詳細な説明】
【技術分野】
【０００１】
本発明は、コンクリート構造物内に埋設される鉄筋にコンクリート型枠を支持させるためのセパレーターを取り付ける鉄筋へのセパレーター取付け金具に関するものである。
【背景技術】
【０００２】
鉄筋にコンクリート型枠を支持させるためのセパレーターを取り付けるための金具としては、特許文献１に示されるように、鉄筋に締結用ボルトで固定できる本体に、セパレーターをネジ結合するネジ孔を備えたセパレーター取付け用ナットが取り付けられたものであるが、従来のこの種の鉄筋へのセパレーター取付け金具は、本体が一端部の内側に鉄筋受け部を備えると共に他端部に締結用ボルトの貫通ネジ孔が設けられたＣ形状のもので、両端間の側部に前記セパレーター取付け用ナットが取り付けられたものであった。
【特許文献１】特開２００３−１３６００号公報
【発明の開示】
【発明が解決しようとする課題】
【０００３】
上記のような従来の鉄筋へのセパレーター取付け金具の構成では、本体の鉄筋受け部を小径の鉄筋に対して嵌合させて締結用ボルトで固定した場合、本体の鉄筋受け部側の先端と、本体の締結用ボルトの貫通ネジ孔が設けられた側の端部先端とを結ぶ仮想面より前記鉄筋が内側に完全に入り込み、当該鉄筋のコンクリート被り深さ内に前記本体の両端部が入り込む結果となり、鉄筋に対する所定のコンクリート被り深さを確保できなくなる恐れがあった。又、セパレーター取付け用ナットが前以って取り付けられているため、セパレーターを本体の外側面に直に溶接したいような場合、その溶接可能な箇所が僅かであって、選択の余地も少ない。
【課題を解決するための手段】
【０００４】
本発明は上記のような従来の問題点を解消し得る鉄筋結合金具を提供することを目的とするものであって、請求項１に記載の鉄筋へのセパレーター取付け金具は、後述する実施形態の参照符号を付して示すと、門形本体１と締結用ボルトナット２を備え、門形本体１は、外側板部６の両側辺から内側に両側板部７が折曲連設された断面溝形の一対のアーム部４ａ，４ｂと、両アーム部４ａ，４ｂの外側板部６どうしを連結一体化する偏平板状のヒンジ部５とから成り、両アーム部４ａ，４ｂは、その両側板部７に鉄筋が嵌合する凹部１１が形成された鉄筋挟持部９と、この鉄筋挟持部９よりヒンジ部５側に設けられて外側板部６にボルト挿通孔１３が設けられた締結部１０を備え、この両アーム部４ａ，４ｂの締結部１０を前記締結用ボルトナット２で締め付けることにより、両アーム部４ａ，４ｂの鉄筋挟持部９間で鉄筋Ｂを挟持できるように構成された金具であって、両アーム部４ａ，４ｂの鉄筋挟持部９を構成する前記凹部１１は、両側板部７の先端辺に隣接する円弧形に形成され、両アーム部４ａ，４ｂの鉄筋挟持部９の外側板部６の外側面は、セパレーター溶接用偏平面６ａに構成されている。
【０００５】
上記構成の本発明を実施するについて、具体的には請求項２に記載のように、両アーム部４ａ，４ｂの内、少なくとも一方のアーム部４ａの鉄筋挟持部９の外側板部６には、セパレーター取付け用ナット３を着脱自在に取り付ける貫通丸孔１４を設け、セパレーター取付け用ナット３は、前記鉄筋挟持部９における両側板部７間に遊嵌する頭部１７と、前記貫通丸孔１４を外向きに抜き差し自在に貫通する軸部１８と、この軸部１８に直径方向に設けられたセパレーター連結用ネジ孔１９とから構成することができる。この場合、請求項３に記載のように、前記セパレーター取付け用ナット３のセパレーター連結用ネジ孔１９に螺合連結したセパレーターＳを前記軸部１８と共に当該軸部１８を中心に回転させたとき、前記締結用ボルトナット２のボルト頭部１５と前記セパレーターＳとが干渉しないように、少なくとも前記貫通丸孔１４を有する側のアーム部４ａにおける前記締結部１０の外側面を、当該アーム部４ａの鉄筋挟持部９の外側面より低くなるように構成することができる。更にこの場合、請求項４に記載のように、前記締結用ボルトナット２は、球面形頭部１５とこの頭部１５に隣接して角軸部１６を備えたものとし、両アーム部４ａ，４ｂの締結部１０の内、少なくとも前記貫通丸孔１４が設けられている側のアーム部４ａの締結部１０のボルト挿通孔１３は、前記角軸部１６が嵌合する回り止め用角孔とすることができる。
【０００６】
又、請求項５に記載のように、前記門形本体１は、前記貫通丸孔１４を除いて対称形に構成し、一方のアーム部４ａの鉄筋挟持部９にのみ前記貫通丸孔１４を設けることができる。
【発明の効果】
【０００７】
上記構成の本発明に係る鉄筋へのセパレーター取付け金具によれば、鉄筋に対して門形本体の両アーム部を、当該鉄筋に対するコンクリート被り深さを確保しなければならない側とは正反対側から嵌合させ、両アーム部先端の鉄筋挟持部の内側の円弧形凹部を当該鉄筋に対し左右両側から嵌合させた状態で締結用ボルトナットを締め付けて両アーム部を互いに接近揺動させ、両鉄筋挟持部で鉄筋を挟持させることにより金具を鉄筋所要箇所に固定して使用するものであるが、このとき、鉄筋挟持部の内側の凹部がアーム部の両側板部の先端辺に隣接して形成された円弧形のものであるから、この鉄筋挟持部の円弧形凹部間で挟まれる鉄筋が、両アーム部の先端を結ぶ仮想面より大きく内側（ヒンジ部側）に入り込むほどに小径でなければ、当該鉄筋より外側、即ち、コンクリート被り深さを確保する側に本体の両アーム部の先端を突出させないで済む。従って、極端に小径の鉄筋、即ち、通常はコンクリート型枠を支持させることのないような極端に小径の鉄筋に金具を取り付けることさえ避ければ、この金具の取り付けにより鉄筋のコンクリート被り深さを浅くしてしまう恐れがなくなり、常に鉄筋に必要なコンクリート被り深さを確保しながら、当該鉄筋に容易に金具を固定することができる。しかも、このように鉄筋に固定された金具に対しては、その左右一対の鉄筋挟持部の外側面全体をセパレーターの溶接箇所として活用できるので、セパレーターの取り付け箇所や向きの選択範囲が広がり、効果的に活用することができる。
【０００８】
尚、請求項２に記載の構成によれば、必要に応じてセパレーター取付け用ナットが利用できる。即ち、金具に直にセパレーターを溶接するのではなく、取り付けたセパレーターの向きを調整する必要がある場合には、セパレーター取付け用ナットの軸部を、一方のアーム部の鉄筋挟持部に設けられている貫通丸孔に内側から外向きに挿通した状態で、この金具（本体）を上記のようにして鉄筋に取り付ければ、鉄筋によって抜け止めされた前記セパレーター取付け用ナットの軸部のセパレーター連結用ネジ孔にセパレーターの一端螺軸部を螺合連結し、当該セパレーター取付け用ナットと共にセパレーターを、当該セパレーター取付け用ナットの軸部の周り（貫通丸孔の軸心の周り）に回動させ、向きを調整して使用することができる。即ち、このようなセパレーター取付け用ナットを持たないセパレーター溶接専用の金具と、回転可能なセパレーター取付け用ナットを備えた金具とに状況に応じて使い分けることができる。
【０００９】
上記請求項２に記載の構成を採用する場合、請求項３に記載の構成によれば、セパレーター取付け用ナットを介して金具に取り付けたセパレーターを３６０度全周の範囲内で自由に回動させることができるので、セパレーターの向き調整範囲が一層広がり、一層便利に活用できる。更に、請求項４に記載の構成によれば、通常の六角頭部を有するボルトを使用する場合と比較して、請求項３に記載の構成の実施が無理なく容易に行え、しかもナット締め付け操作時にボルトを工具で回り止めする必要がなく、作業性を高めることができる。
【００１０】
又、請求項５に記載の構成によれば、一対のアーム部の鉄筋挟持部の内、一方の鉄筋挟持部の外側面はその全体をセパレーターの溶接面として活用することができ、セパレーターの溶接強度を高めることができ、又、セパレーター取付け用ナットを組み合わせないときには、締結用ボルトナットのボルト差し込み方向が限定されず、一層作業性が高められ、セパレーター取付け用ナットを組み合わせるときは、当該セパレーター取付け用ナットを片側のアーム部の鉄筋挟持部にのみ設けられている貫通丸孔を利用して当該セパレーター取付け用ナットを組み込み、締結用ボルトナットのボルトは、このセパレーター取付け用ナットのある側から両アーム部の締結部のボルト挿通孔（角孔）に挿入すれば良い。
【発明を実施するための最良の形態】
【００１１】
以下に本発明の具体的実施例を添付図に基づいて説明すると、図１〜図４において、１は門形本体、２は締結用ボルトナット、３はセパレーター取付け用ナットである。門形本体１は、一対のアーム部４ａ，４ｂとヒンジ部５とを備えたもので、１枚の帯状金属板を門形に曲げ加工すると共に、その両脚部を、内側に凹溝部が位置するように両側辺を内側に折曲して構成したものであって、両アーム部４ａ，４ｂは、偏平板状のヒンジ部５と連続する外側板部６の両側辺から内側に両側板部７が折曲連設された断面溝形に構成されている。ヒンジ部５には、裏面（内側）中央に板厚を薄くするためのＶ形溝８が幅方向の全域にわたって形成されている。
【００１２】
両アーム部４ａ，４ｂには、先端側の鉄筋挟持部９とその内側の締結部１０が設けられている。鉄筋挟持部９は、アーム部４ａ，４ｂの両側板部７に形成した円弧形の鉄筋嵌合用の凹部１１を備え、当該円弧形凹部１１は、両側板部７の先端辺との間に鋭角の角部が形成されるように両側板部７の先端に隣接して形成されている。締結部１０は、前記鉄筋挟持部９の外側板部６の外側面に対して一段低く形成されたもので、これらアーム部４ａ，４ｂの長さ方向において外側に円弧形に突曲する突曲部１２を備え、この突曲部１２に角形のボルト挿通孔１３が設けられている。両アーム部４ａ，４ｂの鉄筋挟持部９における外側板部６は、その外側面がセパレーター溶接用偏平面６ａに形成され、一方のアーム部４ａの鉄筋挟持部９における外側板部６には、セパレーター取付け用ナット３を着脱自在に取り付ける貫通丸孔１４が設けられている。
【００１３】
締結用ボルトナット２は、球面形頭部１５と、当該球面形頭部１５に隣接して前記角形のボルト挿通孔１３に相対回転不能に貫通する角軸部１６とを備えたボルト２ａと、このボルト２ａに螺嵌するナット２ｂとから成るものである。セパレーター取付け用ナット３は、前記一方のアーム部４ａの鉄筋挟持部９における両側板部７間に遊嵌する頭部１７と、前記貫通丸孔１４に内側から外向きに抜き差し自在に挿通される軸部１８とを備え、この軸部１８には、当該軸部１８を前記貫通丸孔１４に自転可能に挿通させて頭部１７を鉄筋挟持部９における外側板部６の裏面に当接させたとき、当該外側板部６の外側で当該外側板部６に接近した位置において、直径方向に貫通したセパレーター連結用ネジ孔１９が設けられている。
【００１４】
使用方法について説明すると、セパレーター取付け用ナット３を組み合わせて使用するときは、図２に示すように、使用前の門形本体１の一方のアーム部４ａにおける貫通丸孔１４に内側からセパレーター取付け用ナット３の軸部１８を外向きに挿通して、頭部１７を一方のアーム部４ａにおける鉄筋挟持部９の内側、即ち、外側板部６と両側板部７との間に遊嵌し、この状態で図１Ａに仮想線で示すように、両アーム部４ａ，４ｂの先端の鉄筋挟持部９間に、この金具を固定する対象の鉄筋Ｂが位置するように、当該鉄筋Ｂに対して門形本体１を外嵌させる。このとき、ヒンジ部５が鉄筋Ｂに対して、当該鉄筋Ｂに対するコンクリート被り深さを確保する側とは正反対側に位置するように、門形本体１の向きを設定しておく。この状態で、締結用ボルトナット２のボルト２ａを、セパレーター取付け用ナット３が取り付けられている側のアーム部４ａの締結部１０における角形のボルト挿通孔１３から反対側のアーム部４ｂの角形のボルト挿通孔１３に向けて挿通させると共に、反対側のアーム部４ｂの締結部１０の外側で当該ボルト２ａにナット２ｂを螺嵌させ、このナット２ｂを締め付ける。
【００１５】
上記のように組み込まれた締結用ボルトナット２のボルト２ａは、その球面形頭部１５に隣接する角軸部１６が一方のアーム部４ａの角形のボルト挿通孔１３に嵌合していることにより回り止めされているので、ナット２ｂに対する回転操作だけで確実に両アーム部４ａ，４ｂを互いに接近させる方向に締め付けることができる。このとき、ヒンジ部５がＶ形溝８の位置で折曲することになる。
【００１６】
上記のように締結用ボルトナット２で両アーム部４ａ，４ｂを締め付けることにより、両アーム部４ａ，４ｂの先端の鉄筋挟持部９の円弧形凹部１１が鉄筋Ｂを直径方向の両側から挟み付け、この金具（門形本体１）が鉄筋Ｂに固定されることになる。次に、図１及び図５に仮想線で示すように、一方のアーム部４ａの鉄筋挟持部９の外側に突出しているセパレーター取付け用ナット３の軸部１８のセパレーター連結用ネジ孔１９にセパレーターＳの一端螺軸部を螺合連結し、このセパレーターＳをセパレーター取付け用ナット３と共に当該セパレーター取付け用ナット３の軸部１８の周りで回転させ、セパレーターＳの向きを調整した状態で、当該セパレーターＳの他端側に従来周知の方法でコンクリート型枠が支持される。このときのセパレーターＳの向き調整時には、セパレーター取付け用ナット３と共に当該セパレーター取付け用ナット３の軸部１８の周りで回転するセパレーターＳは、締結用ボルトナット２の球面形頭部１５の外側を回動し、当該セパレーターＳの回転範囲が締結用ボルトナット２によって制限されるようなことはない。
【００１７】
図１Ａは、この金具を固定できるほぼ最大径の鉄筋Ｂに対して金具（門形本体１）を固定した状態を示しており、鉄筋Ｂは、その一部分が両アーム部４ａ，４ｂの先端間より外側、即ち、当該鉄筋Ｂに対するコンクリート被り深さを確保する側に突出した状態にあり、当該鉄筋Ｂに対するコンクリート被り深さが金具（門形本体１）によって浅くなることはない。
【００１８】
図６は、この金具を固定できるほぼ最小径の鉄筋Ｂに対して金具（門形本体１）を固定した状態を示しており、このとき鉄筋Ｂは、両アーム部４ａ，４ｂの先端を結ぶ仮想面とほぼ面一の状態にあり、やはり当該鉄筋Ｂに対するコンクリート被り深さが金具（門形本体１）によって浅くなることはない。
【００１９】
セパレーター取付け用ナット３は門形本体１に対して着脱自在であるから、セパレーターＳを門形本体１に直に溶接するときは、不要なセパレーター取付け用ナット３を門形本体１に組み込まない状態で、図７に示すように、門形本体１を鉄筋Ｂに固定することができる。この場合、セパレーターＳは、両アーム４ａ，４ｂの各鉄筋挟持部９の外側面、即ち、鉄筋挟持部９における外側板部６のセパレーター溶接用偏平面６ａの何れか一方に、セパレーターＳの一端部を任意の向きで直に溶接して取り付けることができる。
【００２０】
尚、図８は本発明の基本形を示しており、図示のように、両アーム部４ａ，４ｂの先端の鉄筋挟持部９の外側面に対し、その内側の締結部１０の外側面が面一で、突曲部１２が鉄筋挟持部９の外側面より外側に突出する状態に実施しても良い。この場合、先の実施形態に示したセパレーター取付け用ナット３と同じものを組み合わせたのでは、当該セパレーター取付け用ナット３に連結したセパレーターＳを３６０度の範囲で回転させることはできないが、セパレーター取付け用ナット３の軸部１８を、そのセパレーター連結用ネジ孔１９の位置から頭部１７までの領域で長くすることにより、セパレーターＳを回転させたときに当該セパレーターＳと締結用ボルトナット２の球面形頭部１５とが干渉するのを防止することができる。
【図面の簡単な説明】
【００２１】
【図１】Ａ図はセパレーター取付け用ナットを組み込んだ使用状態での縦断正面図、Ｂ図は同状態での横断平面図である。
【図２】組立て前の状態での一部縦断正面図である。
【図３】門形本体の側面図である。
【図４】門形本体の平面図である。
【図５】セパレーター取付け用ナットを組み込んだ使用状態での側面図である。
【図６】セパレーター取付け用ナットを組み込み且つ小径鉄筋に取り付けた使用状態での縦断正面図である。
【図７】セパレーター取付け用ナットを組み込んでいない使用状態での縦断正面図である。
【図８】本発明の基本形を示す使用状態での縦断正面図である。
【符号の説明】
【００２２】
１    門形本体
２    締結用ボルトナット
２ａ    ボルト
２ｂ    ナット
３    セパレーター取付け用ナット
４ａ，４ｂ    アーム部
５    ヒンジ部
６    外側板部
６ａ    セパレーター溶接用偏平面
７    両側板部
８    Ｖ形溝
９    鉄筋挟持部
１０    締結部
１１    円弧形凹部
１２    突曲部
１３    角形のボルト挿通孔
１４    貫通丸孔
１５    球面形頭部
１６    角軸部
１７    頭部
１８    軸部
１９    セパレーター連結用ネジ孔
Ｂ    鉄筋
Ｓ    セパレーター
【図１】
2010013883.tif 000003
【図２】
2010013883.tif 000004
【図３】
2010013883.tif 000005
【図４】
2010013883.tif 000006
【図５】
2010013883.tif 000007
【図６】
2010013883.tif 000008
【図７】
2010013883.tif 000009
【図８】
2010013883.tif 000010